(57)【要約】【課題】提供元で生成されたオリジナルのデータをそのままの状態で保持することなくデータの処理を行うことができるデータ管理装置を提供すること。【解決手段】画像データを分割する分割部１１と、分割部１１により分割された各分割画像データに、元の画像データの一部であることを示すエントリー番号を関連付けて連結情報を生成する連結情報生成部１２と、分割部１１で分割された分割画像データを順不同でデータ処理装置４に送信する分割画像データ送信部１３と、データ処理装置４から送信されてきた処理後データを受信する処理後データ受信部１４と、連結情報に基づいて、処理後データ受信部１４により受信した処理後データのエントリー番号を特定する特定部１５と、特定部１５で特定されたエントリー番号から元の画像データを構成する処理後データ同士を関連付ける連結部１６とを備える。【選択図】図２
2018022997.tif 000002
【特許請求の範囲】
【請求項１】
データ管理装置とデータ処理装置とがネットワークを介して接続されるデータ処理システムにおいて、
前記データ管理装置は、
画像データを分割する分割部と、
前記分割部により分割された各分割画像データに、元の画像データの一部であることを示すエントリー番号を関連付けて連結情報を生成する連結情報生成部と、
前記分割部で分割された分割画像データを順不同で前記データ処理装置に送信する分割画像データ送信部と、
前記データ処理装置から送信されてきた処理後データを受信する処理後データ受信部と、
前記連結情報に基づいて、前記処理後データ受信部により受信した処理後データのエントリー番号を特定する特定部と、
前記特定部で特定されたエントリー番号から元の画像データを構成する処理後データ同士を連結する連結部とを備え、
前記データ処理装置は、
前記分割画像データ送信部から順不同で送信されてきた分割画像データを受信する分割画像データ受信部と、
前記分割画像データの処理後データを前記データ管理装置に送信する処理後データ送信部とを備えるデータ処理システム。
【請求項２】
前記データ処理装置は、
所定期間有効の暗号キーを生成するキー生成部と、
前記キー生成部により生成した暗号キーを前記データ管理装置に送信するキー送信部とを備え、
前記データ管理装置は、
前記データ処理装置から送信されてきた暗号キーを受信するキー受信部と、
前記キー受信部で受信した暗号キーにより分割画像データを暗号化する暗号化部とを備え、
前記分割画像データ送信部は、前記暗号化部で暗号化された分割画像データを順不同で前記データ処理装置に送信する請求項１記載のデータ処理システム。
【請求項３】
前記データ管理装置では、
前記連結情報生成部は、前記分割部により分割された各分割画像データに、元の画像データの一部であることを示すエントリー番号と、固有の項目番号とを関連付けて前記連結情報を生成し、
項目番号を前記データ処理装置に送信する項目番号送信部と、
前記データ処理装置から送信されてきた暗号キーを受信するキー受信部と、
前記キー受信部で受信した暗号キーにより、前記項目番号送信部で送信した項目番号の分割画像データを暗号化する暗号化部とを備え、
前記分割画像データ送信部は、前記暗号化部で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定し、
前記データ処理装置は、
前記項目番号送信部から送信されてきた項目番号に対して固有の暗号キーを生成するキー生成部と、
前記キー生成部により生成した暗号キーを前記データ管理装置に送信するキー送信部と、
前記分割画像データ受信部は、前記分割画像データ送信部から送信されてきた暗号化分割画像データを受信し、
前記分割画像データ受信部により受信した暗号化分割画像データを復号する暗号化分割画像データ復号部とを備え、
前記処理後データ送信部は、対応する項目番号を付して処理後データを前記データ管理装置に送信する請求項１記載のデータ処理システム。
【請求項４】
前記処理後データ送信部は、処理後データに暗号化を行い、暗号化された処理後データを前記データ管理装置に送信し、
前記データ管理装置は、前記処理後データ送信部から送信されてきた暗号化処理後データを復号する暗号化処理後データ復号部を備える請求項１から３のいずれか一項に記載のデータ処理システム。
【請求項５】
前記データ処理装置は、前記分割画像データ受信部で受信した分割画像データを処理するデータ処理部を備え、
前記処理後データ送信部は、前記データ処理部で処理した処理後データを前記データ管理装置に送信する請求項１から３のいずれか一項に記載のデータ処理システム。
【請求項６】
前記データ処理装置は、前記分割画像データ受信部で受信した分割画像データに基づいた入力操作を受け付ける受付部を備え、
前記処理後データ送信部は、前記受付部で受け付けた入力操作に基づく処理後データを前記データ管理装置に送信する請求項１から３のいずれか一項に記載のデータ処理システム。
【請求項７】
前記分割部は、画像データを項目ごとに分割し、
前記データ処理部は、前記分割画像データの文字認識処理を行ってテキストデータに変換し、
前記処理後データ送信部は、前記データ処理部により変換されたテキストデータを前記処理後データとして前記データ管理装置に送信する請求項４記載のデータ処理システム。
【請求項８】
前記分割部は、画像データの特徴部分を抽出し、
前記データ処理部は、前記分割画像データの画像認識処理を行って画像認識データを生成し、
前記処理後データ送信部は、前記データ処理部により生成された画像認識データを前記処理後データとして前記データ管理装置に送信する請求項４記載のデータ処理システム。
【請求項９】
画像データを分割する分割部と、
前記分割部により分割された各分割画像データに、元の画像データの一部であることを示すエントリー番号を関連付けて連結情報を生成する連結情報生成部と、
前記分割部で分割された分割画像データを順不同で前記データ処理装置に送信する分割画像データ送信部と、
データ処理装置から送信されてきた処理後データを受信する処理後データ受信部と、
前記連結情報に基づいて、前記処理後データ受信部により受信した処理後データのエントリー番号を特定する特定部と、
前記特定部で特定されたエントリー番号から元の画像データを構成する処理後データ同士を連結する連結部と、を備えるデータ管理装置。
【請求項１０】
画像データを分割する分割工程と、
前記分割工程により分割された各分割画像データに、元の画像データの一部であることを示すエントリー番号を関連付けて連結情報を生成する連結情報生成工程と、
前記分割工程で分割された分割画像データを順不同で前記データ処理装置に送信する分割画像データ送信工程と、
データ処理装置から送信されてきた処理後データを受信する処理後データ受信工程と、
前記連結情報に基づいて、前記処理後データ受信工程により受信した処理後データのエントリー番号を特定する特定工程と、
前記特定工程で特定されたエントリー番号から元の画像データを構成する処理後データ同士を連結する連結工程と、を備えるデータ管理方法。
【請求項１１】
画像データを分割する分割工程と、
前記分割工程により分割された各分割画像データに、元の画像データの一部であることを示すエントリー番号を関連付けて連結情報を生成する連結情報生成工程と、
前記分割工程で分割された分割画像データを順不同で前記データ処理装置に送信する分割画像データ送信工程と、
データ処理装置から送信されてきた処理後データを受信する処理後データ受信工程と、
前記連結情報に基づいて、前記処理後データ受信工程により受信した処理後データのエントリー番号を特定する特定工程と、
前記特定工程で特定されたエントリー番号から元の画像データを構成する処理後データ同士を連結する連結工程と、をコンピュータによって実現するためのデータ管理プログラム。
【請求項１２】
データ管理装置の分割画像データ送信部から順不同で送信されてきた分割画像データを受信する分割画像データ受信部と、
前記分割画像データの処理後データを前記データ管理装置に送信する処理後データ送信部とを備えるデータ処理装置。
【請求項１３】
データ管理装置から順不同で送信されてきた分割画像データを受信する分割画像データ受信工程と、
前記分割画像データの処理後データを前記データ管理装置に送信する処理後データ送信工程とを備えるデータ処理方法。
【請求項１４】
データ管理装置から順不同で送信されてきた分割画像データを受信する分割画像データ受信工程と、
前記分割画像データの処理後データを前記データ管理装置に送信する処理後データ送信工程と、をコンピュータによって実現するためのデータ処理プログラム。
【発明の詳細な説明】
【技術分野】
【０００１】
本発明は、データの処理を行うデータ処理システム、データ管理装置、方法およびプログラム、データ処理装置、方法およびプログラムに関する。
【背景技術】
【０００２】
近年、ＢＰＯ（Ｂｕｓｉｎｅｓｓ  Ｐｒｏｃｅｓｓ  Ｏｕｔｓｏｕｒｃｉｎｇ）と呼ばれるサービスが提供されている。ＢＰＯとは、自社の業務プロセスの一部を外部企業に委託することをいう。
【０００３】
例えば、ＢＰＯサービスにおいては、手書きの申込書や口座振替依頼書などをテキスト化する処理を外部企業に委託するような形態がある。当該形態においては、自社において、申込書などをイメージスキャナなどで読み取って画像データに変換し、変換した画像データをインターネット等のネットワークを介して外部企業に送信している。
【０００４】
しかし、ネットワークを介して画像データを送信するときに、第三者に画像データが漏洩する可能性がある。
【０００５】
特許文献１では、画像送信する際に、送信フレームごとに暗号化を施し、特に、送信フレームごとに暗号化したり、暗号化をしなかったりを選択できる技術が開示されている。
【先行技術文献】
【特許文献】
【０００６】
【特許文献１】特開平０６−５４３２５号公報
【発明の概要】
【発明が解決しようとする課題】
【０００７】
ところで、データに個人情報が含まれているような場合には、暗号化を施したとしても、データがそのまま外部企業のＰＣなどに保存されることになり、データの安全管理の観点から問題になることがあり、単に暗号化を図るだけでは十分とはいえない。
【０００８】
本発明では、提供元で生成されたオリジナルのデータをそのままの状態で保持することなくデータの処理を行うことができるデータ処理システム、データ管理装置、方法およびプログラム、データ処理装置、方法およびプログラムを提供することを目的とする。
【課題を解決するための手段】
【０００９】
上記目的を達成するために、本発明の一態様におけるデータ処理システムは、データ管理装置とデータ処理装置とがネットワークを介して接続されるデータ処理システムにおいて、前記データ管理装置は、画像データを分割する分割部と、前記分割部により分割された各分割画像データに、元の画像データの一部であることを示すエントリー番号を関連付けて連結情報を生成する連結情報生成部と、前記分割部で分割された分割画像データを順不同で前記データ処理装置に送信する分割画像データ送信部と、前記データ処理装置から送信されてきた処理後データを受信する処理後データ受信部と、前記連結情報に基づいて、前記処理後データ受信部により受信した処理後データのエントリー番号を特定する特定部と、前記特定部で特定されたエントリー番号から元の画像データを構成する処理後データ同士を連結する連結部とを備え、前記データ処理装置は、前記分割画像データ送信部から順不同で送信されてきた分割画像データを受信する分割画像データ受信部と、前記分割画像データの処理後データを前記データ管理装置に送信する処理後データ送信部とを備える。
【００１０】
また、本発明の一態様におけるデータ処理システムでは、前記データ処理装置は、所定期間有効の暗号キーを生成するキー生成部と、前記キー生成部により生成した暗号キーを前記データ管理装置に送信するキー送信部とを備え、前記データ管理装置は、前記データ処理装置から送信されてきた暗号キーを受信するキー受信部と、前記キー受信部で受信した暗号キーにより分割画像データを暗号化する暗号化部とを備え、前記分割画像データ送信部は、前記暗号化部で暗号化された分割画像データを順不同で前記データ処理装置に送信する構成でもよい。
【００１１】
また、本発明の一態様におけるデータ処理システムでは、前記データ管理装置において、前記連結情報生成部は、前記分割部により分割された各分割画像データに、元の画像データの一部であることを示すエントリー番号と、固有の項目番号とを関連付けて前記連結情報を生成し、項目番号を前記データ処理装置に送信する項目番号送信部と、前記データ処理装置から送信されてきた暗号キーを受信するキー受信部と、前記キー受信部で受信した暗号キーにより、前記項目番号送信部で送信した項目番号の分割画像データを暗号化する暗号化部とを備え、前記分割画像データ送信部は、前記暗号化部で暗号化された暗号化分割画像データに対応する項目番号を付して前記データ処理装置に送信し、前記特定部は、前記連結情報に基づいて、前記処理後データ受信部により受信した処理後データに付されている項目番号からエントリー番号を特定し、前記データ処理装置は、前記項目番号送信部から送信されてきた項目番号に対して固有の暗号キーを生成するキー生成部と、前記キー生成部により生成した暗号キーを前記データ管理装置に送信するキー送信部と、前記分割画像データ受信部は、前記分割画像データ送信部から送信されてきた暗号化分割画像データを受信し、前記分割画像データ受信部により受信した暗号化分割画像データを復号する暗号化分割画像データ復号部とを備え、前記処理後データ送信部は、対応する項目番号を付して処理後データを前記データ管理装置に送信する構成でもよい。
【００１２】
また、本発明の一態様におけるデータ処理システムでは、前記処理後データ送信部は、処理後データに暗号化を行い、暗号化された処理後データを前記データ管理装置に送信し、前記データ管理装置は、前記処理後データ送信部から送信されてきた暗号化処理後データを復号する暗号化処理後データ復号部を備える構成でもよい。
【００１３】
また、本発明の一態様におけるデータ処理システムでは、前記データ処理装置は、前記分割画像データ受信部で受信した分割画像データを処理するデータ処理部を備え、前記処理後データ送信部は、前記データ処理部で処理した処理後データを前記データ管理装置に送信する構成でもよい。
【００１４】
また、本発明の一態様におけるデータ処理システムでは、前記データ処理装置は、前記分割画像データ受信部で受信した分割画像データに基づいた入力操作を受け付ける受付部を備え、前記処理後データ送信部は、前記受付部で受け付けた入力操作に基づく処理後データを前記データ管理装置に送信する構成でもよい。
【００１５】
また、本発明の一態様におけるデータ処理システムでは、前記分割部は、画像データを項目ごとに分割し、前記データ処理部は、前記分割画像データの文字認識処理を行ってテキストデータに変換し、前記処理後データ送信部は、前記データ処理部により変換されたテキストデータを前記処理後データとして前記データ管理装置に送信する構成でもよい。
【００１６】
また、本発明の一態様におけるデータ処理システムでは、前記分割部は、画像データの特徴部分を抽出し、前記データ処理部は、前記分割画像データの画像認識処理を行って画像認識データを生成し、前記処理後データ送信部は、前記データ処理部により生成された画像認識データを前記処理後データとして前記データ管理装置に送信する構成でもよい。
【００１７】
上記目的を達成するために、本発明の一態様におけるデータ管理装置は、画像データを分割する分割部と、前記分割部により分割された各分割画像データに、元の画像データの一部であることを示すエントリー番号を関連付けて連結情報を生成する連結情報生成部と、前記分割部で分割された分割画像データを順不同で前記データ処理装置に送信する分割画像データ送信部と、データ処理装置から送信されてきた処理後データを受信する処理後データ受信部と、前記連結情報に基づいて、前記処理後データ受信部により受信した処理後データのエントリー番号を特定する特定部と、前記特定部で特定されたエントリー番号から元の画像データを構成する処理後データ同士を連結する連結部と、を備える。
【００１８】
上記目的を達成するために、本発明の一態様におけるデータ管理方法は、画像データを分割する分割工程と、前記分割工程により分割された各分割画像データに、元の画像データの一部であることを示すエントリー番号を関連付けて連結情報を生成する連結情報生成工程と、前記分割工程で分割された分割画像データを順不同で前記データ処理装置に送信する分割画像データ送信工程と、データ処理装置から送信されてきた処理後データを受信する処理後データ受信工程と、前記連結情報に基づいて、前記処理後データ受信工程により受信した処理後データのエントリー番号を特定する特定工程と、前記特定工程で特定されたエントリー番号から元の画像データを構成する処理後データ同士を連結する連結工程と、を備える。
【００１９】
上記目的を達成するために、本発明の一態様におけるデータ管理プログラムは、画像データを分割する分割工程と、前記分割工程により分割された各分割画像データに、元の画像データの一部であることを示すエントリー番号を関連付けて連結情報を生成する連結情報生成工程と、前記分割工程で分割された分割画像データを順不同で前記データ処理装置に送信する分割画像データ送信工程と、データ処理装置から送信されてきた処理後データを受信する処理後データ受信工程と、前記連結情報に基づいて、前記処理後データ受信工程により受信した処理後データのエントリー番号を特定する特定工程と、前記特定工程で特定されたエントリー番号から元の画像データを構成する処理後データ同士を連結する連結工程と、をコンピュータによって実現するためのプログラムである。
【００２０】
上記目的を達成するために、本発明の一態様におけるデータ処理装置は、データ管理装置の分割画像データ送信部から順不同で送信されてきた分割画像データを受信する分割画像データ受信部と、前記分割画像データの処理後データを前記データ管理装置に送信する処理後データ送信部とを備える。
【００２１】
上記目的を達成するために、本発明の一態様におけるデータ処理方法は、データ管理装置から順不同で送信されてきた分割画像データを受信する分割画像データ受信工程と、前記分割画像データの処理後データを前記データ管理装置に送信する処理後データ送信工程とを備える。
【００２２】
上記目的を達成するために、本発明の一態様におけるデータ処理プログラムは、データ管理装置から順不同で送信されてきた分割画像データを受信する分割画像データ受信工程と、前記分割画像データの処理後データを前記データ管理装置に送信する処理後データ送信工程と、をコンピュータによって実現するためのプログラムである。
【発明の効果】
【００２３】
本発明によれば、提供元で生成されたオリジナルのデータをそのままの状態で保持することなくデータの処理を行うことができる。
【図面の簡単な説明】
【００２４】
【図１】データ処理システムの構成を示す図である。
【図２】データ管理装置の構成を示すブロック図である。
【図３】画像データから分割画像データを生成する手順についての説明に供する図である。
【図４】連結情報の構成を示す図である。
【図５】データ処理装置の第１の構成を示すブロック図である。
【図６】データ処理部の構成を示すブロック図である。
【図７】画像認識部による特徴抽出とベクトル変換の様子を模式的に示す図である。
【図８】画像認識部による字種の判定の様子を模式的に示す図である。
【図９】画像データから特徴部分を抽出する手順についての説明に供する図である。
【図１０】データ処理システムの動作の流れについての説明に供する第１の図である。
【図１１】データ処理システムの動作の流れについての説明に供する第２の図である。
【図１２】データ処理システムの動作の流れについての説明に供する第３の図である。
【図１３】データ処理システムの動作の流れについての説明に供する第４の図である。
【図１４】データ処理装置の第２の構成を示すブロック図である。
【発明を実施するための形態】
【００２５】
以下、本発明の実施形態に係るデータ処理システム、データ管理装置、方法およびプログラム、データ処理装置、方法およびプログラムについて図面を参照しながら説明する。なお、実施形態を説明する全図において、共通の構成要素には同一の符号を付し、繰り返しの説明を省略する。
【００２６】
以下では、一例として、顧客端末装置側において、処理対象となる画像データを分割し、分割した分割画像データを順不同でデータ処理装置に送信し、データ処理装置側において、分割画像データに対して所定の処理を行い、処理後のデータを顧客端末装置へ送信することにより、提供元である顧客端末装置で生成されたオリジナルの画像データをそのままの状態でデータ処理装置側が保持することなく、データ処理装置でデータの処理を行うデータ処理システムの構成と動作について説明する。
【００２７】
データ処理システム１は、図１に示すように、データ管理装置３が接続された顧客端末装置２と、データ処理装置４とがネットワークＮを介して接続される。顧客端末装置２は、例えば、スマートフォン、タブレット、パーソナルコンピュータ（ＰＣ）などの情報処理装置である。データ管理装置３は、ＣＰＵ、メモリ、インターフェイスなどを有する小型のコンピュータ装置である。顧客端末装置２とデータ管理装置３とは、所定のインターフェイス（例えば、ＵＳＢ（登録商標）やＬＡＮ）により相互に通信可能に接続されている。また、顧客端末装置２とデータ管理装置３との接続は、有線でも無線でもよい。なお、顧客端末装置２とデータ管理装置３とは、ネットワークＮを介して接続される構成でもよい。また、以下では、データ管理装置３は、顧客端末装置２とは独立して存在するものとして説明するが、これに限られず、データ管理装置３の各構成要素が、顧客端末装置２に含まれる構成であってもよい。
【００２８】
データ管理装置３は、図２に示すように、記憶部１０と、分割部１１と、連結情報生成部１２と、分割画像データ送信部１３と、処理後データ受信部１４と、特定部１５と、連結部１６とを備える。
【００２９】
分割部１１は、顧客端末装置２から送信されてきた画像データを分割する。分割部１１は、分割した分割画像データを記憶部１０に保存する。具体的には、分割部１１は、各分割画像データを２値のバイナリデータ（以下、画像バイナリ情報という）に変換し、変換後の画像バイナリ情報を記憶部１０に保存する。本実施例では、「分割画像データ」と「画像バイナリ情報」とは、同義として扱う。
【００３０】
ここで、分割画像データを生成する手順について説明する。顧客端末装置２は、書類をスキャナ等で画像化して画像データに変換し、変換した画像データをデータ管理装置３の分割部１１に送信する。分割部１１は、例えば、画像データを読み込んで、予め取り込む書類の項目が配置されている場所を示す座標データに基づいて、画像データを項目ごとに分割する。なお、分割部１１は、画像データを読み込んで、罫線抽出、枠構造解析、読取対象枠の位置推定などの構造解析を行い、画像データを項目ごとに分割してもよい。図３に示す例では、画像データＡから４つのデータ（分割画像データａ１〜ａ４）に分割した様子を示す。
【００３１】
連結情報生成部１２は、記憶部１０を参照し、分割部１１により分割された各分割画像データに、元の画像データの一部であることを示すエントリー番号を関連付けて連結情報を生成する。連結情報生成部１２は、生成した連結情報を記憶部１０に保存する。連結情報には、後述するように、固有の項目番号も含む。なお、連結情報には、他の項目（例えば、「氏名」や「住所」などの項目ジャンル）が追加されてもよい。
【００３２】
ここで、連結情報の具体例について図４を参照しながら説明する。連結情報Ｌは、図４に示すように、エントリー番号（図４中のエントリーＩＤ）と、画像バイナリ情報と、項目番号（図４中の項目ＩＤ）とから構成されている。エントリーＩＤは、分割画像データを元の画像データに関連付けるためのＩＤである。画像バイナリ情報は、上述したように、各分割画像データのバイナリデータである。項目ＩＤは、上述したように、分割画像データに関連付けられる固有のＩＤである。
【００３３】
図４に示す例では、エントリーＩＤ「Ａ１」には、分割画像データ「ａ１」の画像バイナリ情報「４Ｄ５Ａ  ００３Ｂ  ＡＦ３８  ０８７１・・・」と、項目ＩＤ「ＡＢＸ１・・・」とが関連付けられており、エントリーＩＤ「Ａ２」には、分割画像データ「ａ２」の画像バイナリ情報「ＦＦ００  ５３ＤＡ  ８８ＢＢ  ＦＦＤＤ・・・」と、項目ＩＤ「ＱＢ１４・・・」とが関連付けられており、エントリーＩＤ「Ａ３」には、分割画像データ「ａ３」の画像バイナリ情報「ＢＢＦＡ  ８８００  ＢＤ５４  ６００Ｆ・・・」と、項目ＩＤ「５６Ｚ７・・・」とが関連付けられており、エントリーＩＤ「Ａ４」には、分割画像データ「ａ４」の画像バイナリ情報「ＣＣ００  ＦＡＦＦ  ＢＡ５Ｄ  ３３００・・・」と、項目ＩＤ「１９ＱＺ・・・」とが関連付けられており、エントリーＩＤ「Ｂ１」には、分割画像データ「ｂ１」の画像バイナリ情報「５１ＡＡ  ＳＳ１１  １５ＷＥ  ００１Ｄ・・・」と、項目ＩＤ「１ＤＤＧ・・・」とが関連付けられており、エントリーＩＤ「Ｂ２」には、分割画像データ「ｂ２」の画像バイナリ情報「ＥＲ４５  ４５ＴＹ  ＦＤ３４  ＭＮ２２・・・」と、項目ＩＤ「１５ＤＧ・・・」とが関連付けられている。
【００３４】
分割画像データ送信部１３は、記憶部１０にアクセスして、分割画像データを読み出し、分割部１１で分割された分割画像データを順不同でデータ処理装置４に送信する。例えば、画像データがｎ個（画像データＡ，Ｂ，Ｃ・・・）あり、各画像データに分割画像データがｍ個（分割画像データａ１，ａ２・・・ｂ１，ｂ２・・・ｃ１，ｃ２・・・）あった場合、分割画像データ送信部１３は、画像データＢの分割画像データｂ２をデータ処理装置４に送信し、つぎに、画像データＦの分割画像データｆ４をデータ処理装置４に送信し、つぎに、画像データＡの分割画像データａ３をデータ処理装置４に送信するなどして、すべての画像データの分割画像データを順不同でデータ処理装置４に送信する。このように順不同に分割画像データをデータ処理装置４に送信することにより、データ処理装置４において、送信されてきた分割画像データから元の画像データの生成を困難にすることができる。
【００３５】
処理後データ受信部１４は、データ処理装置４から送信されてきた処理後データを受信する。
【００３６】
特定部１５は、記憶部１０に保存されている連結情報に基づいて、処理後データ受信部１４により受信した処理後データのエントリー番号を特定する。
【００３７】
連結部１６は、特定部１５で特定されたエントリー番号から元の画像データを構成する処理後データ同士を連結する。
【００３８】
また、データ処理装置４は、図５に示すように、記憶部３０と、分割画像データ受信部３１と、処理後データ送信部３３とを備える。
【００３９】
分割画像データ受信部３１は、分割画像データ送信部１３から順不同で送信されてきた分割画像データを受信する。分割画像データ受信部３１は、受信した分割画像データを記憶部３０に保存する。処理後データ送信部３３は、記憶部３０にアクセスして処理後データを読み出し、読み出した分割画像データの処理後データをデータ管理装置３に送信する。
【００４０】
ここで、分割画像データの処理後データを生成する構成について説明する。処理後データは、図５に示すように、データ処理部３２によって生成する。データ処理部３２は、分割画像データ受信部３１で受信した分割画像データを処理する。具体的には、データ処理部３２は、記憶部３０にアクセスして分割画像データを読み出し、読み出した分割画像データを処理する。データ処理部３２は、処理後の分割画像データ（以下、処理後データという）を記憶部３０に保存する。なお、データ処理部３２の具体的な構成と動作については、後述する。
【００４１】
処理後データ送信部３３は、データ処理部３２で処理した処理後データをデータ管理装置３に送信する。具体的には、処理後データ送信部３３は、記憶部３０にアクセスして処理後データを読み出し、読み出した処理後データをデータ管理装置３に送信する。
【００４２】
よって、データ処理システム１は、顧客端末装置２に接続されているデータ管理装置３において、処理対象となる画像データを分割し、分割画像データを順不同でデータ処理装置４に送信し、データ処理装置４において、分割画像データに対して所定の処理を行い、処理後のデータをデータ管理装置３に送信することにより、提供元である顧客端末装置２で生成されたオリジナルの画像データをそのままの状態でデータ処理装置４が保持することなく、データ処理装置４でデータの処理を行うことができる。
【００４３】
なお、データ管理装置３で分割した分割画像データは、データ管理装置３から直接ネットワークＮを介してデータ処理装置４に送信されてもよいし、一旦、顧客端末装置２に送信されてから、顧客端末装置２からネットワークＮを介してデータ処理装置４に送信されてもよい。また、データ処理装置４で処理された処理後データは、直接ネットワークＮを介してデータ管理装置３に送信されてもよいし、一旦、ネットワークＮを介して顧客端末装置２に送信されてから、顧客端末装置２からデータ管理装置３に送信されてもよい。
【００４４】
また、データ管理装置３は、図２に示すように、項目番号送信部１７と、キー受信部１８と、暗号化部１９とを備える。なお、本実施形態の暗号化方式は、共通鍵方式でもよいし公開鍵方式でもよい。
【００４５】
連結情報生成部１２は、図４に示すように、分割部１１により分割された各分割画像データに、元の画像データの一部であることを示すエントリー番号と、固有の項目番号とを関連付けて連結情報を生成する。
【００４６】
項目番号送信部１７は、記憶部１０に保存されている連結情報を参照して、項目番号をデータ処理装置４に送信する。
【００４７】
キー受信部１８は、データ処理装置４から送信されてきた暗号キーを受信する。暗号キーは、固有の項目番号に対応する固有のキーである。
【００４８】
暗号化部１９は、キー受信部１８で受信した暗号キーにより、項目番号送信部１７で送信した項目番号の分割画像データを暗号化する。暗号化部１９は、暗号化した分割画像データ（以下、暗号化分割画像データという）を記憶部１０に保存する。また、暗号化部１９は、分割画像データを暗号化した後、暗号キーを保存せずに破棄する。
【００４９】
分割画像データ送信部１３は、記憶部１０にアクセスして、暗号化分割画像データを読み出し、暗号化分割画像データに対応する項目番号を付して、順不同でデータ処理装置４に送信する。
【００５０】
特定部１５は、データ処理装置４の処理後データ受信部１４から処理後データを受信し、記憶部１０に保存されている連結情報に基づいて、処理後データに付されている項目番号からエントリー番号を特定する。
【００５１】
よって、データ処理システム１は、顧客端末装置２に接続されているデータ管理装置３において、処理対象となる画像データを分割し、分割画像データにデータ処理装置４で項目番号から生成した固有の暗号キーによって暗号化し、順不同でデータ処理装置４に送信するので、提供元である顧客端末装置２で生成されたオリジナルの画像データをそのままの状態でデータ処理装置４が保持することなく、データ処理装置４でデータの処理を行わせることができる。
【００５２】
また、データ処理装置４は、図５に示すように、キー生成部３４と、キー送信部３５と、暗号化分割画像データ復号部３６とを備える。
【００５３】
キー生成部３４は、項目番号送信部１７から送信されてきた項目番号に対して固有の暗号キーを生成する。なお、本実施例では、データ管理装置３から項目番号が送信されてくる度に当該項目番号に対して固有の暗号キーを生成するものとして説明するが、これに限られない。例えば、キー生成部３４は、所定期間（例えば、発行時から３時間など）有効となる暗号キーを生成し、生成した暗号キーをデータ管理装置３に送信する構成でもよい。当該構成の場合、キー生成部３４は、所定期間が経過するときに、新たに暗号キーを生成し、生成した新たな暗号キーをデータ管理装置３に送信する。このような構成によれば、データ処理装置４は、頻繁に暗号キーを生成しなくてもよく、処理負担の軽減を図ることができる。
【００５４】
キー送信部３５は、キー生成部３４により生成した暗号キーをデータ管理装置３に送信する。
【００５５】
また、分割画像データ受信部３１は、データ管理装置３の分割画像データ送信部１３から送信されてきた暗号化分割画像データを受信する。分割画像データ受信部３１は、受信した暗号化分割画像データを記憶部３０に保存する。
【００５６】
暗号化分割画像データ復号部３６は、分割画像データ受信部３１により受信した暗号化分割画像データを復号する。具体的には、暗号化分割画像データ復号部３６は、記憶部３０にアクセスして暗号化分割画像データを読み出し、読み出した暗号化分割画像データを復号する。暗号化分割画像データ復号部３６は、復号した暗号化分割画像データを記憶部３０に保存する。
【００５７】
データ処理部３２は、暗号化分割画像データ復号部３６で復号した分割画像データを処理する。具体的には、データ処理部３２は、記憶部３０にアクセスして復号された分割画像データを読み出し、読み出した分割画像データを処理する。データ処理部３２は、処理後の分割画像データ（以下、処理後データという）を記憶部３０に保存する。なお、データ処理部３２の具体的な構成と動作については、後述する。
【００５８】
処理後データ送信部３３は、データ処理部３２で処理した処理後データをデータ管理装置３に送信する。具体的には、処理後データ送信部３３は、記憶部３０にアクセスして処理後データを読み出し、読み出した処理後データに対応する項目番号を付してデータ管理装置３に送信する。
【００５９】
よって、データ処理システム１は、データ処理装置４において、項目番号に基づいて固有の暗号キーを生成してデータ管理装置３に送信し、当該暗号キーによって暗号化された分割画像データを受信して、復号後に分割画像データに対して所定の処理を行い、処理後のデータをデータ管理装置３に送信するので、提供元である顧客端末装置２で生成されたオリジナルの画像データをそのままの状態で保持することなく、データの処理を行うことができる。
【００６０】
また、処理後データ送信部３３は、データ処理部３２で処理した処理後データに暗号化を行い、暗号化された処理後データ（以下、暗号化処理後データという）をデータ管理装置３に送信する構成でもよい。
【００６１】
当該構成の場合、データ管理装置３は、図２に示すように、処理後データ送信部３３から送信されてきた暗号化処理後データを復号する暗号化処理後データ復号部２０を備える。
【００６２】
具体的には、処理後データ受信部１４は、暗号化処理後データを受信する。処理後データ受信部１４は、受信した処理後データが暗号化されているので、当該データを暗号化処理後データ復号部２０に送る。暗号化処理後データ復号部２０は、暗号化処理後データに対応する項目番号をデータ処理装置４に送信して、復号キーの生成を依頼する。データ処理装置４は、受信した項目番号に基づいて固有の復号キーを生成し、データ管理装置３に送信する。
【００６３】
キー受信部１８は、データ処理装置４から復号キーを受信し、受信した復号キーを暗号化処理後データ復号部２０に送る。暗号化処理後データ復号部２０は、復号キーによって暗号化処理後データを復号し、復号したデータ（処理後データ）を特定部１５に送る。
【００６４】
特定部１５は、記憶部１０に保存されている連結情報に基づいて、暗号化処理後データ復号部２０から送られた処理後データのエントリー番号を特定する。
【００６５】
よって、データ処理システム１は、データ処理部３２で処理した処理後データに暗号化を行い、暗号化処理後データをデータ管理装置３に送信し、データ管理装置３から送信されてきた項目番号に固有の復号キーを生成してデータ管理装置３に送信するので、処理後データを安全にデータ管理装置３に送信することができる。なお、データ処理システム１は、セキュリティレベルは下がるが、暗号キーをデータ管理装置３で作成する構成でもよいし、分割画像データの暗号化を行わずにデータ処理装置４に送信する構成でもよい。
【００６６】
＜データ処理部３２の第１実施例＞
また、分割部１１は、画像データを所定の項目ごとに分割する構成でもよい。当該構成の場合、データ処理部３２は、分割画像データの文字認識処理を行ってテキストデータに変換する。また、処理後データ送信部３３は、データ処理部３２により変換されたテキストデータを処理後データとしてデータ管理装置３に送信する。
【００６７】
ここで、データ処理部３２の第１実施例について説明する。なお、以下では、複数の項目に個人を特定し得る情報（例えば、氏名、口座番号など）が手書きされている口座振替依頼書をスキャナ等で画像化した画像データを対象とし、当該画像データを分割した分割画像データがデータ管理装置３からデータ処理装置４に送信されている場合を想定して説明する。
【００６８】
データ処理部３２は、概念的には、バックプロパゲーション（誤差逆伝播法）によって、入力層、一または複数の中間層、および出力層から構成される多層のニューラルネットワークを学習させるアルゴリズムを利用して、文字認識を行う。
【００６９】
具体的には、データ処理部３２は、図６に示すように、記憶部５０と、画像認識部５１と、自然言語処理部５２と、判断部５３と、出力部５４とを備える。
【００７０】
記憶部５０は、データ処理部３２の専用の記憶部として説明するが、記憶部３０の一部として構成されてもよい。画像認識部５１は、分割画像データを認識してテキストを生成する。自然言語処理部５２は、画像認識部５１により生成されたテキストを自然言語処理する。判断部５３は、画像認識部５１により生成されたテキストと自然言語処理部５２により自然言語処理されたテキストを対比する。また、データ処理部３２は、判断部５３から出力されるテキストを出力する出力部５４を備える。出力部５４は、判断部５３から出力されたテキストを処理後データとして記憶部３０に保存する。また、データ処理部３２は、画像認識部５１、自然言語処理部５２および判断部５３とを独立に機能させ、それぞれの出力結果が相互に出力結果に影響を与えることにより、所定以上の尤度のテキストを出力する。
【００７１】
ここで、画像認識部５１の動作について説明する。画像認識部５１は、分割画像データに基づいて、読取対象である文字行を抽出する。画像認識部５１は、文字行画像から文字パターン候補の切出しと、各文字パターンの文字識別を行う。
【００７２】
つぎに、文字識別の手順について説明する。画像認識部５１は、図７に示すように、切出した１個の文字パターンの分割画像データに対して特徴抽出を行う。そして、画像認識部５１は、文字のストロークの方向成分などを抽出して、分割画像データを１つのベクトルに変換する。図７に示す例では、分割画像データＸが多層のニューラルネットワークに入力され、方向や位置等の特徴を捉えて特徴抽出をされている様子を模式的に示している。また、図７に示す例では、ベクトルＸ１と、ベクトルＸ２と、ベクトルＸ３とに変換された様子を模式的に示している。
【００７３】
画像認識部５１は、図８に示すように、変換されたベクトルに基づいて、字種が何であるかを判定する。画像認識部５１は、当該判定において、事前に大量のパターンを使った分布の様子から、どの字種が特徴空間上のどの辺に分布しているかを保持している辞書データを参照し、未知の入力パターンである分割画像データの候補を決定する。図８に示す例では、辞書データにおいて、字種「中」、字種「申」および字種「十」の情報が記憶されている様子を概念的に示している。
【００７４】
画像認識部５１は、以上のプロセスにより、複数のテキスト候補（例えば、中、申、十）と、各テキスト候補の尤度を取得する。なお、各テキスト候補の尤度は、特徴空間内における各候補の中心と、未知の入力パターンである分割画像データとの距離で算出することができる。
【００７５】
画像認識部５１は、図６に示すように、第１画像認識部５１ａと、第２画像認識部５１ｂとから構成されている。
【００７６】
第１画像認識部５１ａは、記憶部５０から分割画像データを読み出し、多層のニューラルネットワークを用いて当該分割画像データから特徴点を抽出し、複数のテキスト候補と尤度を出力する。
【００７７】
第２画像認識部５１ｂは、記憶部５０から分割画像データを読み出し、多層のニューラルネットワークを用いて当該分割画像データから特徴点を抽出し、テキストよりも小さい因子である素因子テキストに分離されたテキスト候補と尤度を出力する。
【００７８】
第１画像認識部５１ａと第２画像認識部５１ｂとの主な違いは、画像認識の機械学習を行う際に利用する学習データの違いである。第１画像認識部５１ａは１文字を１文字として出力するように学習データが用意されているのに対し、第２画像認識部５１ｂは１文字をより小さい因子である素因子テキストに分離して出力するように学習データが用意されている。
【００７９】
よって、データ処理部３２は、様々な手書き文字が含まれている書類について、所定以上の尤もらしさが得られるまで処理を繰り返すので、信頼性の高い高精度な文字認識を行うことができる。
【００８０】
また、判断部５３は、自然言語処理部５２により出力されたテキスト候補の中で、尤度の高いテキスト候補を第１画像認識部５１ａにより出力されたテキスト候補よりも優先的に扱う構成でもよい。
【００８１】
当該構成の場合には、データ処理部３２は、より自然言語処理部５２による処理を優先するので、自然言語処理に適しているといえ、文章の文字認識に対して強みを発揮する。
【００８２】
また、判断部５３は、対比した結果、２つのテキスト候補の差分が所定の閾値を超えない場合に、所定以上の尤度のテキストであると判断して出力する構成でもよい。つまり、判断部５３は、自然言語処理部５２により出力されたテキスト候補と、第１画像認識部５１ａにより出力されたテキスト候補とがほぼ一致している場合に、所定以上の尤度のテキストであると判断する。
【００８３】
当該構成の場合には、データ処理部３２は、自然言語処理部５２と第１画像認識部５１ａの二つの処理の結果を利用して文字認識を行っているので、高精度に文字認識を行うことができる。
【００８４】
データ処理部３２は、図６に示すように、処理にかかる時間を設定する設定部５５を備える構成でもよい。設定部５５は、例えば、ユーザの指示にしたがって、処理時間を１０分などに設定する。
【００８５】
判断部５３は、第１画像認識部５１ａにより出力された最も尤度の高いテキスト候補と、自然言語処理部５２により出力された最も尤度の高いテキスト候補とを対比し、所定以上の尤もらしさを得られなかった場合、設定部５５によって設定された時間以内において、所定以上の尤もらしさが得られるまで、尤度の高い順に他の候補同士の対比を行う。
【００８６】
よって、データ処理部３２は、設定された時間内において、所定以上の尤もらしさが得られるまで処理を繰り返すので、認識処理を何回行っても所定以上の尤もらしさが得られないような認識困難な分割画像データに対して何度も試行を繰り返すことがないメリットがある。
【００８７】
また、判断部５３は、所定以上の尤もらしさが得られなかったテキストを伏字にして出力する構成でもよい。
【００８８】
伏字とは、文字認識ができなかった箇所を示すものであり、例えば、「○」や「△」などである。具体的には、氏名「特許太郎」の「太」の箇所に対して所定以上の尤もらしさが得られなかった場合には、判断部５３は、「特許○郎」を出力する。
【００８９】
よって、データ処理部３２は、文字識別できた箇所と文字識別ができなかった箇所を明示して出力することができる。なお、伏字にした箇所について、正しい文字（本実施例では、「○」の箇所は「太」である）をデータ処理部３２にフィードバックしてもよい。当該フィードバックにより、データ処理部３２は、次回の文字認識において、前回「○」となった分割画像データを正しいテキスト「太」として出力することができる。
【００９０】
また、第２画像認識部５１ｂは、項目ごとに適した多層のニューラルネットワークを機械学習により有しており、分割画像データに含まれる項目を探索し、当該項目に適した多層のニューラルネットワークを用いて分割画像データから特徴点を抽出し、テキストよりも小さい因子である素因子テキストに分離されたテキスト候補を出力する構成でもよい。
【００９１】
例えば、「申込日」のような項目には、「２０１５年５月１日」等の申込日に関する情報が入力されることが予想できる。つまり、「申込日」のような項目は、数字「０〜９」と、漢字「年」，「月」，「日」が入力され、他の文字は入力されない。よって、第２画像認識部５１ｂは、認識する項目が「申込日」のような場合には、数字「０〜９」と、漢字「年」，「月」，「日」とを出力するようなニューラルネットワークを用いて分割画像データから特徴点を抽出し、テキストよりも小さい因子である素因子テキストに分離されたテキスト候補を出力する。
【００９２】
また、「氏名＿フリガナ」のような項目には、「トッキョタロウ」等の氏名のカタカナに関する情報が入力されることが予想できる。つまり、「氏名＿フリガナ」のような項目は、カタカナ「ア〜ン」等が入力され、他の文字（漢字、数字等）は入力されない。よって、第２画像認識部５１ｂは、認識する項目が「氏名＿フリガナ」のような場合には、カタカナを出力するようなニューラルネットワークを用いて分割画像データから特徴点を抽出し、テキストよりも小さい因子である素因子テキストに分離されたテキスト候補を出力する。
【００９３】
また、「電話番号（ＴＥＬ）」のような項目には、「０３−３５８１−１１１１」等の電話番号に関する情報が入力されることが予想できる。つまり、「電話番号（ＴＥＬ）」のような項目は、数字「０〜９」とハイフン「−」が入力され、他の文字（漢字、ひらがな等）は入力されない。よって、第２画像認識部５１ｂは、認識する項目が「電話番号（ＴＥＬ）」のような場合には、数字「０〜９」とハイフン「−」を出力するようなニューラルネットワークを用いて分割画像データから特徴点を抽出し、テキストよりも小さい因子である素因子テキストに分離されたテキスト候補を出力する。
【００９４】
よって、データ処理システム１は、データ管理装置３において、処理対象となる画像データを項目単位で分割した分割画像データをデータ処理装置４に送信し、データ処理装置４において、分割画像データに対して高精度な文字認識処理を行い、処理後のデータをデータ管理装置３に送信するので、提供元である顧客端末装置２で生成されたオリジナルの画像データをそのままの状態でデータ処理装置４が保持することなく、データ処理装置４でデータの処理を行うことができる。
【００９５】
＜データ処理部３２の第２実施例＞
また、分割部１１は、画像データの特徴部分を抽出する構成でもよい。当該構成の場合、データ処理部３２は、分割画像データの画像認識処理を行って画像認識データを生成する。また、処理後データ送信部３３は、データ処理部３２により生成された画像認識データを処理後データとしてデータ管理装置３に送信する。
【００９６】
ここで、データ処理部３２の第２実施例について説明する。なお、以下では、防犯カメラなどにより撮像された画像データ（図９中のＧ）を対象とする。分割部１１は、当該画像データから特徴部分（図９中のｇ１，ｇ２，ｇ３）を抽出し、抽出した特徴部分を分割する。データ管理装置３は、分割画像データをデータ処理装置４に送信する。なお、本実施例では、特徴部分の一例を顔として説明するが、これに限らず、全身でもよいし、人以外の物（動物、車、建物など）でもよい。
【００９７】
例えば、データ処理部３２は、粗い画質の分割画像データを処理し、鮮明な画質のデータを生成する構成でもよい。当該構成の場合、データ処理装置４は、鮮明な画質のデータを処理後データとしてデータ管理装置３に送信する。
【００９８】
また、データ処理部３２は、分割画像データを解析処理して顔の特徴を特定し、顔の特徴から性別を判定する性別判定ＤＢを参照して、分割画像データに映っている人物の性別を推定したり、顔の特徴から年齢を判定する年齢判定ＤＢを参照して、分割画像データに映っている人物の年齢を推定する。当該構成の場合、データ処理装置４は、性別情報や年齢情報などを処理後データとしてデータ管理装置３に送信する。
【００９９】
よって、データ処理システム１は、データ管理装置３において、処理対象となる画像データの特徴部分である分割画像データをデータ処理装置４に送信し、データ処理装置４において、分割画像データに対して画像認識処理を行い、処理後のデータをデータ管理装置３に送信するので、提供元である顧客端末装置２で生成されたオリジナルの画像データをそのままの状態でデータ処理装置４が保持することなく、データ処理装置４でデータの処理を行うことができる。
【０１００】
つぎに、データ処理システム１を構成する顧客端末装置２とデータ管理装置３とデータ処理装置４の動作の流れについて図１０〜図１３を参照しながら説明する。なお、以下では、顧客端末装置２とデータ管理装置３とは接続されており、ファイル同期が可能な状態にある。
【０１０１】
ステップＳ１において、顧客端末装置２は、接続されているスキャナによって書類（例えば、口座振替依頼書）をスキャンする。なお、スキャンされたデータは、例えば、ｐｄｆファイル形式で取り込まれるものとする。
【０１０２】
ステップＳ２において、顧客端末装置２は、スキャンしたデータをメモリに保存する。このとき、同期処理によって顧客端末装置２からデータ管理装置３にデータが送信される。
【０１０３】
ステップＳ３において、データ管理装置３は、同期処理によって顧客端末装置２から送信されてきたデータの読み込み前処理を行う。読み込み前処理により、画像データは、例えば、ＪＰＥＧ形式に変換される。
【０１０４】
ステップＳ４において、分割部１１は、画像データを項目ごとに分割して、分割画像データを生成する。
【０１０５】
ステップＳ５において、連結情報生成部１２は、ステップＳ４の工程において分割された各分割画像データに、元の画像データの一部として関連付けるためのエントリー番号と、固有の項目番号とを連結して連結情報Ｌを生成する。
【０１０６】
ステップＳ６において、データ管理装置３は、図１１に示すように、分割画像データの暗号化を行い、暗号化した分割画像データをデータ処理装置４に送信する。
【０１０７】
具体的には、項目番号送信部１７は、項目番号をデータ処理装置４に送信する。データ処理装置４のキー生成部３４は、項目番号送信部１７から送信されてきた項目番号に対して固有の暗号キーを生成する。キー送信部３５は、キー生成部３４により生成した暗号キーをデータ管理装置３に送信する。
【０１０８】
ステップＳ７において、データ管理装置３のキー受信部１８は、データ処理装置４から送信されてきた暗号キーを受信する。暗号化部１９は、キー受信部１８で受信した暗号キーにより、項目番号送信部１７で送信した項目番号の分割画像データを暗号化する。例えば、暗号化部１９は、項目ＩＤ「ＡＢＸ１・・・」の暗号キーによって、分割画像データａ１を暗号化（図１１中の暗号化分割画像データＡ１）する。
【０１０９】
また、データ管理装置３は、ステップＳ３の工程の読み込み前処理により変換した画像データを削除する。
【０１１０】
ステップＳ８において、データ管理装置３の分割画像データ送信部１３は、図１２に示すように、暗号化部１９で暗号化された暗号化分割画像データに対応する項目番号を付して順不同でデータ処理装置４に送信する。データ管理装置３は、元の画像データの書類ＩＤやエントリーＩＤなどをデータ処理装置４に送信しない。つまり、データ管理装置４は、個人を特定し得る情報を扱わないといえる。
【０１１１】
ステップＳ９において、データ処理装置４は、分割画像データの処理を行う。具体的には、分割画像データ受信部３１は、分割画像データ送信部１３から送信されてきた暗号化分割画像データを受信する。暗号化分割画像データ復号部３６は、分割画像データ受信部３１により受信した暗号化分割画像データを復号する。データ処理部３２は、暗号化分割画像データ復号部３６で復号した分割画像データの文字認識処理を行ってテキストデータに変換する。
【０１１２】
ステップＳ１０において、処理後データ送信部３３は、データ処理部３２で処理した処理後データ（テキストデータ）に暗号化を行い、暗号化された処理後データに対応する項目番号を付してデータ管理装置３に送信する。データ処理装置４は、データ管理装置３に送信した暗号化処理後データを削除する。
【０１１３】
ステップＳ１１において、データ管理装置３は、図１３に示すように、暗号化処理後データを受信し、復号し、整形する。具体的には、処理後データ受信部１４は、データ処理装置４から送信されてきた処理後データを受信する。
【０１１４】
ステップＳ１２において、暗号化処理後データ復号部２０は、暗号化処理後データに対応する項目番号をデータ処理装置４に送信して、復号キーの生成を依頼する。データ処理装置４は、受信した項目番号に基づいて固有の復号キーを生成し、データ管理装置３に送信する。暗号化処理後データ復号部２０は、復号キーによって暗号化処理後データを復号する。なお、データ管理装置４は、データ管理装置３に送信した復号キーを保存せずに破棄する。
【０１１５】
特定部１５は、連結情報に基づいて、処理後データに付されている項目番号からエントリー番号を特定する。連結部１６は、特定部１５で特定されたエントリー番号から元の画像データを構成する処理後データ同士を関連付ける。
【０１１６】
よって、データ処理システム１は、顧客端末装置２に接続されているデータ管理装置３において、処理対象となる画像データを分割し、分割画像データを順不同でデータ処理装置４に送信し、データ処理装置４において、分割画像データに対して所定の処理を行い、処理後のデータをデータ管理装置３に送信することにより、提供元である顧客端末装置２で生成されたオリジナルの画像データをそのままの状態でデータ処理装置４が保持することなく、データ処理装置４でデータの処理を行うことができる。
【０１１７】
なお、ステップＳ１０からステップＳ１２の工程は、データ処理装置４側で行う構成でもよい。当該構成の場合、データ処理装置４は、分割画像データを暗号テキストの形式で保持する。データ管理装置３は、項目ＩＤ（例えば、項目ＩＤ「ＡＢＸ１・・・」）をデータ処理装置４に送信すると、データ処理装置４において当該項目ＩＤに対応する暗号テキストが復号され、復号された復号後テキスト（例えば、複合後テキストＡ′′「特許」）がデータ処理装置４から送信されてくる。
【０１１８】
また、上述では、処理後データは、データ処理部３２で生成されるとして説明してきたが、これに限られない。例えば、データ処理装置４は、図１４に示すように、記憶部３０と、分割画像データ受信部３１と、受付部４０、操作部４１と、処理後データ送信部３３とを備える構成でもよい。受付部４０は、分割画像データ受信部３１で受信した分割画像データに基づいた操作部４１による入力操作を受け付ける。処理後データ送信部３３は、受付部４０で受け付けた入力操作に基づく処理後データをデータ管理装置３に送信する。
【０１１９】
例えば、オペレータは、ディスプレイに表示されている分割画像データを見ながら、キーボード等の操作部４１を操作する。受付部４０は、操作部４１による入力操作に基づいて、テキストデータを生成し、生成したテキストデータを処理後データとして記憶部３０に保存する。処理後データ送信部３３は、記憶部３０に記憶されている処理後データを読み出してデータ管理装置３に送信する。
【０１２０】
このような構成によれば、データ処理装置４は、処理後データを生成する工程において、ＢＰＯで行われているサービス（データ入力代行サービス）を活用することができる。
【０１２１】
また、本実施例では、主に、提供元で生成されたオリジナルのデータをそのままの状態で保持することなくデータの処理を行うことができるデータ処理システム１、データ管理装置３、データ処理装置４の構成と動作について説明したが、これに限られず、各構成要素を備え、提供元で生成されたオリジナルのデータをそのままの状態で保持することなくデータの処理を行うための方法、およびプログラムとして構成されてもよい。
【０１２２】
さらに、データ管理装置を構成する各機能を実現するためのプログラムをコンピュータで読み取り可能な記録媒体に記録して、この記録媒体に記録されたプログラムをコンピュータシステムに読み込ませ、指示することによって実現してもよい。
【０１２３】
具体的には、当該プログラムは、顧客端末装置２から送信されてきた画像データを分割する分割工程と、分割工程により分割された各分割画像データに、元の画像データの一工程として関連付けるためのエントリー番号とを連結して連結情報を生成する連結情報生成工程と、分割工程で分割された分割画像データを順不同でデータ処理装置４に送信する分割画像データ送信工程と、データ処理装置４から送信されてきた処理後データを受信する処理後データ受信工程と、連結情報に基づいて、処理後データ受信工程により受信した処理後データのエントリー番号を特定する特定工程と、特定工程で特定されたエントリー番号から元の画像データを構成する処理後データ同士を関連付ける関連付け工程と、をコンピュータによって実現するためのデータ管理プログラムである。
【０１２４】
また、データ処理装置を構成する各機能を実現するためのプログラムをコンピュータで読み取り可能な記録媒体に記録して、この記録媒体に記録されたプログラムをコンピュータシステムに読み込ませ、指示することによって実現してもよい。
【０１２５】
具体的には、当該プログラムは、データ管理装置３から順不同で送信されてきた分割画像データを受信する分割画像データ受信工程と、分割画像データの処理後データをデータ管理装置３に送信する処理後データ送信工程と、をコンピュータによって実現するためのデータ処理プログラムである。
【０１２６】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２７】
さらに「コンピュータで読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【０１２８】
１  データ処理システム、２  顧客端末装置、３  データ管理装置、４  データ処理装置、１０，３０，５０  記憶部、１１  分割部、１２  連結情報生成部、１３  分割画像データ送信部、１４  処理後データ受信部、１５  特定部、１６  連結部、１７  項目番号送信部、１８  キー受信部、１９  暗号化部、２０  暗号化処理後データ復号部、３１  分割画像データ受信部、３２  データ処理部、３３  処理後データ送信部、３４  キー生成部、３５  キー送信部、３６  暗号化分割画像データ復号部、４０  受付部、４１  操作部、５１  画像認識部、５１ａ  第１画像認識部、５１ｂ  第２画像認識部、５２  自然言語処理部、５３  判断部、５４  出力部、５５  設定部、Ｎ  ネットワーク。
【図１】
2018022997.tif 000003
【図２】
2018022997.tif 000004
【図３】
2018022997.tif 000005
【図４】
2018022997.tif 000006
【図５】
2018022997.tif 000007
【図６】
2018022997.tif 000008
【図７】
2018022997.tif 000009
【図８】
2018022997.tif 000010
【図９】
2018022997.tif 000011
【図１０】
2018022997.tif 000012
【図１１】
2018022997.tif 000013
【図１２】
2018022997.tif 000014
【図１３】
2018022997.tif 000015
【図１４】
2018022997.tif 000016
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
データ管理装置とデータ処理装置とがネットワークを介して接続されるデータ処理システムにおいて、
前記データ管理装置は、
画像データを分割する分割部と、
前記分割部により分割された各分割画像データに、元の画像データの一部であることを示すエントリー番号を関連付けて連結情報を生成する連結情報生成部と、
前記分割部で分割された分割画像データを順不同で前記データ処理装置に送信する分割画像データ送信部と、
前記データ処理装置から送信されてきた処理後データを受信する処理後データ受信部と、
前記連結情報に基づいて、前記処理後データ受信部により受信した処理後データのエントリー番号を特定する特定部と、
前記特定部で特定されたエントリー番号から元の画像データを構成する処理後データ同士を連結する連結部とを備え、
前記データ処理装置は、
前記分割画像データ送信部から順不同で送信されてきた分割画像データを受信する分割画像データ受信部と、
前記分割画像データの処理後データを前記データ管理装置に送信する処理後データ送信部とを備え、
前記データ管理装置では、
前記連結情報生成部は、前記分割部により分割された各分割画像データに、元の画像データの一部であることを示すエントリー番号と、固有の項目番号とを関連付けて前記連結情報を生成し、
項目番号を前記データ処理装置に送信する項目番号送信部と、
前記データ処理装置から送信されてきた暗号キーを受信するキー受信部と、
前記キー受信部で受信した暗号キーにより、前記項目番号送信部で送信した項目番号の分割画像データを暗号化する暗号化部とを備え、
前記分割画像データ送信部は、前記暗号化部で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定し、
前記データ処理装置は、
前記項目番号送信部から送信されてきた項目番号に対して固有の暗号キーを生成するキー生成部と、
前記キー生成部により生成した暗号キーを前記データ管理装置に送信するキー送信部と、
前記分割画像データ受信部は、前記分割画像データ送信部から送信されてきた暗号化分割画像データを受信し、
前記分割画像データ受信部により受信した暗号化分割画像データを復号する暗号化分割画像データ復号部とを備え、
前記処理後データ送信部は、対応する項目番号を付して処理後データを前記データ管理装置に送信するデータ処理システム。
【請求項２】
前記データ処理装置は、
所定期間有効の暗号キーを生成するキー生成部と、
前記キー生成部により生成した暗号キーを前記データ管理装置に送信するキー送信部とを備え、
前記データ管理装置は、
前記データ処理装置から送信されてきた暗号キーを受信するキー受信部と、
前記キー受信部で受信した暗号キーにより分割画像データを暗号化する暗号化部とを備え、
前記分割画像データ送信部は、前記暗号化部で暗号化された分割画像データを順不同で前記データ処理装置に送信する請求項１記載のデータ処理システム。
【請求項３】
前記処理後データ送信部は、処理後データに暗号化を行い、暗号化された処理後データを前記データ管理装置に送信し、
前記データ管理装置は、前記処理後データ送信部から送信されてきた暗号化処理後データを復号する暗号化処理後データ復号部を備える請求項１または２記載のデータ処理システム。
【請求項４】
前記データ処理装置は、前記分割画像データ受信部で受信した分割画像データを処理するデータ処理部を備え、
前記処理後データ送信部は、前記データ処理部で処理した処理後データを前記データ管理装置に送信する請求項１または２記載のデータ処理システム。
【請求項５】
前記データ処理装置は、前記分割画像データ受信部で受信した分割画像データに基づいた入力操作を受け付ける受付部を備え、
前記処理後データ送信部は、前記受付部で受け付けた入力操作に基づく処理後データを前記データ管理装置に送信する請求項１または２記載のデータ処理システム。
【請求項６】
前記分割部は、画像データを項目ごとに分割し、
前記データ処理部は、前記分割画像データの文字認識処理を行ってテキストデータに変換し、
前記処理後データ送信部は、前記データ処理部により変換されたテキストデータを前記処理後データとして前記データ管理装置に送信する請求項４記載のデータ処理システム。
【請求項７】
前記分割部は、画像データの特徴部分を抽出し、
前記データ処理部は、前記分割画像データの画像認識処理を行って画像認識データを生成し、
前記処理後データ送信部は、前記データ処理部により生成された画像認識データを前記処理後データとして前記データ管理装置に送信する請求項４記載のデータ処理システム。
【請求項８】
画像データを分割する分割部と、
前記分割部により分割された各分割画像データに、元の画像データの一部であることを示すエントリー番号を関連付けて連結情報を生成する連結情報生成部と、
前記分割部で分割された分割画像データを順不同でデータ処理装置に送信する分割画像データ送信部と、
前記データ処理装置から送信されてきた処理後データを受信する処理後データ受信部と、
前記連結情報に基づいて、前記処理後データ受信部により受信した処理後データのエントリー番号を特定する特定部と、
前記特定部で特定されたエントリー番号から元の画像データを構成する処理後データ同士を連結する連結部と、を備え、
前記連結情報生成部は、前記分割部により分割された各分割画像データに、元の画像データの一部であることを示すエントリー番号と、固有の項目番号とを関連付けて前記連結情報を生成し、
項目番号を前記データ処理装置に送信する項目番号送信部と、
前記データ処理装置から送信されてきた暗号キーを受信するキー受信部と、
前記キー受信部で受信した暗号キーにより、前記項目番号送信部で送信した項目番号の分割画像データを暗号化する暗号化部とを備え、
前記分割画像データ送信部は、前記暗号化部で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定するデータ管理装置。
【請求項９】
画像データを分割する分割工程と、
前記分割工程により分割された各分割画像データに、元の画像データの一部であることを示すエントリー番号を関連付けて連結情報を生成する連結情報生成工程と、
項目番号をデータ処理装置に送信する項目番号送信工程と、
前記データ処理装置から送信されてきた暗号キーを受信するキー受信工程と、
前記キー受信工程で受信した暗号キーにより、前記項目番号送信工程で送信した項目番号の分割画像データを暗号化する暗号化工程と、
前記分割工程で分割された分割画像データを順不同で前記データ処理装置に送信する分割画像データ送信工程と、
前記データ処理装置から送信されてきた処理後データを受信する処理後データ受信工程と、
前記連結情報に基づいて、前記処理後データ受信工程により受信した処理後データのエントリー番号を特定する特定工程と、
前記特定工程で特定されたエントリー番号から元の画像データを構成する処理後データ同士を連結する連結工程と、を備え、
前記連結情報生成工程は、前記分割工程により分割された各分割画像データに、元の画像データの一部であることを示すエントリー番号と、固有の項目番号とを関連付けて前記連結情報を生成し、
前記分割画像データ送信工程は、前記暗号化工程で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定するデータ管理方法。
【請求項１０】
画像データを分割する分割工程と、
前記分割工程により分割された各分割画像データに、元の画像データの一部であることを示すエントリー番号を関連付けて連結情報を生成する連結情報生成工程と、
項目番号をデータ処理装置に送信する項目番号送信工程と、
前記データ処理装置から送信されてきた暗号キーを受信するキー受信工程と、
前記キー受信工程で受信した暗号キーにより、前記項目番号送信工程で送信した項目番号の分割画像データを暗号化する暗号化工程と、
前記分割工程で分割された分割画像データを順不同で前記データ処理装置に送信する分割画像データ送信工程と、
前記データ処理装置から送信されてきた処理後データを受信する処理後データ受信工程と、
前記連結情報に基づいて、前記処理後データ受信工程により受信した処理後データのエントリー番号を特定する特定工程と、
前記特定工程で特定されたエントリー番号から元の画像データを構成する処理後データ同士を連結する連結工程と、をコンピュータによって実現するためのデータ管理プログラムであって、
前記連結情報生成工程は、前記分割工程により分割された各分割画像データに、元の画像データの一部であることを示すエントリー番号と、固有の項目番号とを関連付けて前記連結情報を生成し、
前記分割画像データ送信工程は、前記暗号化工程で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定するデータ管理プログラム。
【請求項１１】
データ管理装置の項目番号送信部から送信されてきた項目番号に対して固有の暗号キーを生成するキー生成部と、
前記キー生成部により生成した暗号キーを前記データ管理装置に送信するキー送信部と、
データ管理装置の分割画像データ送信部から順不同で送信されてきた暗号化分割画像データを受信する分割画像データ受信部と、
前記分割画像データ受信部により受信した暗号化分割画像データを復号する暗号化分割画像データ復号部と、
前記暗号化分割画像データ復号部により復号された分割画像データの処理後データを前記データ管理装置に送信する処理後データ送信部とを備え、
前記処理後データ送信部は、対応する項目番号を付して処理後データを前記データ管理装置に送信するデータ処理装置。
【請求項１２】
データ管理装置の項目番号送信工程から送信されてきた項目番号に対して固有の暗号キーを生成するキー生成工程と、
前記キー生成工程により生成した暗号キーを前記データ管理装置に送信するキー送信工程と、
前記データ管理装置の分割画像データ送信工程から順不同で送信されてきた暗号化分割画像データを受信する分割画像データ受信工程と、
前記分割画像データ受信工程により受信した暗号化分割画像データを復号する暗号化分割画像データ復号工程と、
前記暗号化分割画像データ復号工程により復号された分割画像データの処理後データを前記データ管理装置に送信する処理後データ送信工程とを備え、
前記処理後データ送信工程は、対応する項目番号を付して処理後データを前記データ管理装置に送信するデータ処理方法。
【請求項１３】
データ管理装置の項目番号送信工程から送信されてきた項目番号に対して固有の暗号キーを生成するキー生成工程と、
前記キー生成工程により生成した暗号キーを前記データ管理装置に送信するキー送信工程と、
前記データ管理装置の分割画像データ送信工程から順不同で送信されてきた暗号化分割画像データを受信する分割画像データ受信工程と、
前記分割画像データ受信工程により受信した暗号化分割画像データを復号する暗号化分割画像データ復号工程と、
前記暗号化分割画像データ復号工程により復号された分割画像データの処理後データを前記データ管理装置に送信する処理後データ送信工程と、をコンピュータによって実現するためのデータ処理プログラムであって、
前記処理後データ送信工程は、対応する項目番号を付して処理後データを前記データ管理装置に送信するデータ処理プログラム。
【手続補正２】
【補正対象書類名】明細書
【補正対象項目名】０００９
【補正方法】変更
【補正の内容】
【０００９】
上記目的を達成するために、本発明の一態様におけるデータ処理システムは、データ管理装置とデータ処理装置とがネットワークを介して接続されるデータ処理システムにおいて、前記データ管理装置は、画像データを分割する分割部と、前記分割部により分割された各分割画像データに、元の画像データの一部であることを示すエントリー番号を関連付けて連結情報を生成する連結情報生成部と、前記分割部で分割された分割画像データを順不同で前記データ処理装置に送信する分割画像データ送信部と、前記データ処理装置から送信されてきた処理後データを受信する処理後データ受信部と、前記連結情報に基づいて、前記処理後データ受信部により受信した処理後データのエントリー番号を特定する特定部と、前記特定部で特定されたエントリー番号から元の画像データを構成する処理後データ同士を連結する連結部とを備え、前記データ処理装置は、前記分割画像データ送信部から順不同で送信されてきた分割画像データを受信する分割画像データ受信部と、前記分割画像データの処理後データを前記データ管理装置に送信する処理後データ送信部とを備え、前記データ管理装置では、前記連結情報生成部は、前記分割部により分割された各分割画像データに、元の画像データの一部であることを示すエントリー番号と、固有の項目番号とを関連付けて前記連結情報を生成し、項目番号を前記データ処理装置に送信する項目番号送信部と、前記データ処理装置から送信されてきた暗号キーを受信するキー受信部と、前記キー受信部で受信した暗号キーにより、前記項目番号送信部で送信した項目番号の分割画像データを暗号化する暗号化部とを備え、前記分割画像データ送信部は、前記暗号化部で暗号化された暗号化分割画像データに対応する項目番号を付して前記データ処理装置に送信し、前記特定部は、前記連結情報に基づいて、前記処理後データ受信部により受信した処理後データに付されている項目番号からエントリー番号を特定し、前記データ処理装置は、前記項目番号送信部から送信されてきた項目番号に対して固有の暗号キーを生成するキー生成部と、前記キー生成部により生成した暗号キーを前記データ管理装置に送信するキー送信部と、前記分割画像データ受信部は、前記分割画像データ送信部から送信されてきた暗号化分割画像データを受信し、前記分割画像データ受信部により受信した暗号化分割画像データを復号する暗号化分割画像データ復号部とを備え、前記処理後データ送信部は、対応する項目番号を付して処理後データを前記データ管理装置に送信する。
【手続補正３】
【補正対象書類名】明細書
【補正対象項目名】００１１
【補正方法】削除
【補正の内容】
【手続補正４】
【補正対象書類名】明細書
【補正対象項目名】００１７
【補正方法】変更
【補正の内容】
【００１７】
上記目的を達成するために、本発明の一態様におけるデータ管理装置は、画像データを分割する分割部と、前記分割部により分割された各分割画像データに、元の画像データの一部であることを示すエントリー番号を関連付けて連結情報を生成する連結情報生成部と、前記分割部で分割された分割画像データを順不同でデータ処理装置に送信する分割画像データ送信部と、前記データ処理装置から送信されてきた処理後データを受信する処理後データ受信部と、前記連結情報に基づいて、前記処理後データ受信部により受信した処理後データのエントリー番号を特定する特定部と、前記特定部で特定されたエントリー番号から元の画像データを構成する処理後データ同士を連結する連結部と、を備え、前記連結情報生成部は、前記分割部により分割された各分割画像データに、元の画像データの一部であることを示すエントリー番号と、固有の項目番号とを関連付けて前記連結情報を生成し、項目番号を前記データ処理装置に送信する項目番号送信部と、前記データ処理装置から送信されてきた暗号キーを受信するキー受信部と、前記キー受信部で受信した暗号キーにより、前記項目番号送信部で送信した項目番号の分割画像データを暗号化する暗号化部とを備え、前記分割画像データ送信部は、前記暗号化部で暗号化された暗号化分割画像データに対応する項目番号を付して前記データ処理装置に送信し、前記特定部は、前記連結情報に基づいて、前記処理後データ受信部により受信した処理後データに付されている項目番号からエントリー番号を特定する。
【手続補正５】
【補正対象書類名】明細書
【補正対象項目名】００１８
【補正方法】変更
【補正の内容】
【００１８】
上記目的を達成するために、本発明の一態様におけるデータ管理方法は、画像データを分割する分割工程と、前記分割工程により分割された各分割画像データに、元の画像データの一部であることを示すエントリー番号を関連付けて連結情報を生成する連結情報生成工程と、項目番号をデータ処理装置に送信する項目番号送信工程と、前記データ処理装置から送信されてきた暗号キーを受信するキー受信工程と、前記キー受信工程で受信した暗号キーにより、前記項目番号送信工程で送信した項目番号の分割画像データを暗号化する暗号化工程と、前記分割工程で分割された分割画像データを順不同で前記データ処理装置に送信する分割画像データ送信工程と、前記データ処理装置から送信されてきた処理後データを受信する処理後データ受信工程と、前記連結情報に基づいて、前記処理後データ受信工程により受信した処理後データのエントリー番号を特定する特定工程と、前記特定工程で特定されたエントリー番号から元の画像データを構成する処理後データ同士を連結する連結工程と、を備え、前記連結情報生成工程は、前記分割工程により分割された各分割画像データに、元の画像データの一部であることを示すエントリー番号と、固有の項目番号とを関連付けて前記連結情報を生成し、前記分割画像データ送信工程は、前記暗号化工程で暗号化された暗号化分割画像データに対応する項目番号を付して前記データ処理装置に送信し、前記特定部は、前記連結情報に基づいて、前記処理後データ受信部により受信した処理後データに付されている項目番号からエントリー番号を特定する。
【手続補正６】
【補正対象書類名】明細書
【補正対象項目名】００１９
【補正方法】変更
【補正の内容】
【００１９】
上記目的を達成するために、本発明の一態様におけるデータ管理プログラムは、画像データを分割する分割工程と、前記分割工程により分割された各分割画像データに、元の画像データの一部であることを示すエントリー番号を関連付けて連結情報を生成する連結情報生成工程と、項目番号をデータ処理装置に送信する項目番号送信工程と、前記データ処理装置から送信されてきた暗号キーを受信するキー受信工程と、前記キー受信工程で受信した暗号キーにより、前記項目番号送信工程で送信した項目番号の分割画像データを暗号化する暗号化工程と、前記分割工程で分割された分割画像データを順不同で前記データ処理装置に送信する分割画像データ送信工程と、前記データ処理装置から送信されてきた処理後データを受信する処理後データ受信工程と、前記連結情報に基づいて、前記処理後データ受信工程により受信した処理後データのエントリー番号を特定する特定工程と、前記特定工程で特定されたエントリー番号から元の画像データを構成する処理後データ同士を連結する連結工程と、をコンピュータによって実現するためのプログラムであって、前記連結情報生成工程は、前記分割工程により分割された各分割画像データに、元の画像データの一部であることを示すエントリー番号と、固有の項目番号とを関連付けて前記連結情報を生成し、前記分割画像データ送信工程は、前記暗号化工程で暗号化された暗号化分割画像データに対応する項目番号を付して前記データ処理装置に送信し、前記特定部は、前記連結情報に基づいて、前記処理後データ受信部により受信した処理後データに付されている項目番号からエントリー番号を特定するプログラムである。
【手続補正７】
【補正対象書類名】明細書
【補正対象項目名】００２０
【補正方法】変更
【補正の内容】
【００２０】
上記目的を達成するために、本発明の一態様におけるデータ処理装置は、データ管理装置の項目番号送信部から送信されてきた項目番号に対して固有の暗号キーを生成するキー生成部と、前記キー生成部により生成した暗号キーを前記データ管理装置に送信するキー送信部と、データ管理装置の分割画像データ送信部から順不同で送信されてきた暗号化分割画像データを受信する分割画像データ受信部と、前記分割画像データ受信部により受信した暗号化分割画像データを復号する暗号化分割画像データ復号部と、前記暗号化分割画像データ復号部により復号された分割画像データの処理後データを前記データ管理装置に送信する処理後データ送信部とを備え、前記処理後データ送信部は、対応する項目番号を付して処理後データを前記データ管理装置に送信する。
【手続補正８】
【補正対象書類名】明細書
【補正対象項目名】００２１
【補正方法】変更
【補正の内容】
【００２１】
上記目的を達成するために、本発明の一態様におけるデータ処理方法は、データ管理装置の項目番号送信工程から送信されてきた項目番号に対して固有の暗号キーを生成するキー生成工程と、前記キー生成工程により生成した暗号キーを前記データ管理装置に送信するキー送信工程と、前記データ管理装置の分割画像データ送信工程から順不同で送信されてきた暗号化分割画像データを受信する分割画像データ受信工程と、前記分割画像データ受信工程により受信した暗号化分割画像データを復号する暗号化分割画像データ復号工程と、前記暗号化分割画像データ復号工程により復号された分割画像データの処理後データを前記データ管理装置に送信する処理後データ送信工程とを備え、前記処理後データ送信工程は、対応する項目番号を付して処理後データを前記データ管理装置に送信する。
【手続補正９】
【補正対象書類名】明細書
【補正対象項目名】００２２
【補正方法】変更
【補正の内容】
【００２２】
上記目的を達成するために、本発明の一態様におけるデータ処理プログラムは、データ管理装置の項目番号送信工程から送信されてきた項目番号に対して固有の暗号キーを生成するキー生成工程と、前記キー生成工程により生成した暗号キーを前記データ管理装置に送信するキー送信工程と、前記データ管理装置の分割画像データ送信工程から順不同で送信されてきた暗号化分割画像データを受信する分割画像データ受信工程と、前記分割画像データ受信工程により受信した暗号化分割画像データを復号する暗号化分割画像データ復号工程と、前記暗号化分割画像データ復号工程により復号された分割画像データの処理後データを前記データ管理装置に送信する処理後データ送信工程と、をコンピュータによって実現するためのデータ処理プログラムであって、前記処理後データ送信工程は、対応する項目番号を付して処理後データを前記データ管理装置に送信するプログラムである。
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
データ管理装置とデータ処理装置とがネットワークを介して接続されるデータ処理システムにおいて、
前記データ管理装置は、
画像データを分割する分割部と、
前記分割部により分割された各分割画像データに、元の画像データの一部であることを示すエントリー番号を関連付けて連結情報を生成する連結情報生成部と、
前記分割部で分割された分割画像データを順不同で前記データ処理装置に送信する分割画像データ送信部と、
前記データ処理装置から送信されてきた処理後データを受信する処理後データ受信部と、
前記連結情報に基づいて、前記処理後データ受信部により受信した処理後データのエントリー番号を特定する特定部と、
前記特定部で特定されたエントリー番号から元の画像データを構成する処理後データ同士を連結する連結部とを備え、
前記データ処理装置は、
前記分割画像データ送信部から順不同で送信されてきた分割画像データを受信する分割画像データ受信部と、
前記分割画像データの処理後データを前記データ管理装置に送信する処理後データ送信部とを備え、
前記データ管理装置では、
前記連結情報生成部は、前記分割部により分割された各分割画像データに、元の画像データの一部であることを示すエントリー番号と、固有の項目番号とを関連付けて前記連結情報を生成し、
項目番号を前記データ処理装置に送信する項目番号送信部と、
前記データ処理装置から送信されてきた暗号キーを受信するキー受信部と、
前記キー受信部で受信した暗号キーにより、前記項目番号送信部で送信した項目番号の分割画像データを暗号化する暗号化部とを備え、
前記分割画像データ送信部は、前記暗号化部で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定し、
前記データ処理装置は、
前記項目番号送信部から送信されてきた項目番号に対して固有の暗号キーを生成するキー生成部と、
前記キー生成部により生成した暗号キーを前記データ管理装置に送信するキー送信部と、
前記分割画像データ受信部は、前記分割画像データ送信部から送信されてきた暗号化分割画像データを受信し、
前記分割画像データ受信部により受信した暗号化分割画像データを復号する暗号化分割画像データ復号部とを備え、
前記処理後データ送信部は、対応する項目番号を付して処理後データを前記データ管理装置に送信するデータ処理システム。
【請求項２】
前記データ処理装置は、
所定期間有効の暗号キーを生成するキー生成部と、
前記キー生成部により生成した暗号キーを前記データ管理装置に送信するキー送信部とを備え、
前記データ管理装置は、
前記データ処理装置から送信されてきた暗号キーを受信するキー受信部と、
前記キー受信部で受信した暗号キーにより分割画像データを暗号化する暗号化部とを備え、
前記分割画像データ送信部は、前記暗号化部で暗号化された分割画像データを順不同で前記データ処理装置に送信する請求項１記載のデータ処理システム。
【請求項３】
前記処理後データ送信部は、処理後データに暗号化を行い、暗号化された処理後データを前記データ管理装置に送信し、
前記データ管理装置は、前記処理後データ送信部から送信されてきた暗号化処理後データを復号する暗号化処理後データ復号部を備える請求項１または２記載のデータ処理システム。
【請求項４】
前記データ処理装置は、前記分割画像データ受信部で受信した分割画像データを処理するデータ処理部を備え、
前記処理後データ送信部は、前記データ処理部で処理した処理後データを前記データ管理装置に送信する請求項１または２記載のデータ処理システム。
【請求項５】
前記データ処理装置は、前記分割画像データ受信部で受信した分割画像データに基づいた入力操作を受け付ける受付部を備え、
前記処理後データ送信部は、前記受付部で受け付けた入力操作に基づく処理後データを前記データ管理装置に送信する請求項１または２記載のデータ処理システム。
【請求項６】
前記分割部は、画像データを項目ごとに分割し、
前記データ処理部は、前記分割画像データの文字認識処理を行ってテキストデータに変換し、
前記処理後データ送信部は、前記データ処理部により変換されたテキストデータを前記処理後データとして前記データ管理装置に送信する請求項４記載のデータ処理システム。
【請求項７】
前記分割部は、画像データの特徴部分を抽出し、
前記データ処理部は、前記分割画像データの画像認識処理を行って画像認識データを生成し、
前記処理後データ送信部は、前記データ処理部により生成された画像認識データを前記処理後データとして前記データ管理装置に送信する請求項４記載のデータ処理システム。
【請求項８】
画像データを分割する分割部と、
前記分割部により分割された各分割画像データに、元の画像データの一部であることを示すエントリー番号を関連付けて連結情報を生成する連結情報生成部と、
前記分割部で分割された分割画像データを順不同でデータ処理装置に送信する分割画像データ送信部と、
前記データ処理装置から送信されてきた処理後データを受信する処理後データ受信部と、
前記連結情報に基づいて、前記処理後データ受信部により受信した処理後データのエントリー番号を特定する特定部と、
前記特定部で特定されたエントリー番号から元の画像データを構成する処理後データ同士を連結する連結部と、を備え、
前記連結情報生成部は、前記分割部により分割された各分割画像データに、元の画像データの一部であることを示すエントリー番号と、固有の項目番号とを関連付けて前記連結情報を生成し、
項目番号を前記データ処理装置に送信する項目番号送信部と、
前記データ処理装置から送信されてきた暗号キーを受信するキー受信部と、
前記キー受信部で受信した暗号キーにより、前記項目番号送信部で送信した項目番号の分割画像データを暗号化する暗号化部とを備え、
前記分割画像データ送信部は、前記暗号化部で暗号化された暗号化分割画像データに対応する項目番号を付して前記データ処理装置に送信し、
前記特定部は、前記連結情報に基づいて、前記処理後データ受信部により受信した処理後データに付されている項目番号からエントリー番号を特定するデータ管理装置。
【請求項９】
画像データを分割する分割工程と、
前記分割工程により分割された各分割画像データに、元の画像データの一部であることを示すエントリー番号を関連付けて連結情報を生成する連結情報生成工程と、
項目番号をデータ処理装置に送信する項目番号送信工程と、
前記データ処理装置から送信されてきた暗号キーを受信するキー受信工程と、
前記キー受信工程で受信した暗号キーにより、前記項目番号送信工程で送信した項目番号の分割画像データを暗号化する暗号化工程と、
前記分割工程で分割された分割画像データを順不同で前記データ処理装置に送信する分割画像データ送信工程と、
前記データ処理装置から送信されてきた処理後データを受信する処理後データ受信工程と、
前記連結情報に基づいて、前記処理後データ受信工程により受信した処理後データのエントリー番号を特定する特定工程と、
前記特定工程で特定されたエントリー番号から元の画像データを構成する処理後データ同士を連結する連結工程と、を備え、
前記連結情報生成工程は、前記分割工程により分割された各分割画像データに、元の画像データの一部であることを示すエントリー番号と、固有の項目番号とを関連付けて前記連結情報を生成し、
前記分割画像データ送信工程は、前記暗号化工程で暗号化された暗号化分割画像データに対応する項目番号を付して前記データ処理装置に送信し、
前記特定工程は、前記連結情報に基づいて、前記処理後データ受信工程により受信した処理後データに付されている項目番号からエントリー番号を特定するデータ管理方法。
【請求項１０】
画像データを分割する分割工程と、
前記分割工程により分割された各分割画像データに、元の画像データの一部であることを示すエントリー番号を関連付けて連結情報を生成する連結情報生成工程と、
項目番号をデータ処理装置に送信する項目番号送信工程と、
前記データ処理装置から送信されてきた暗号キーを受信するキー受信工程と、
前記キー受信工程で受信した暗号キーにより、前記項目番号送信工程で送信した項目番号の分割画像データを暗号化する暗号化工程と、
前記分割工程で分割された分割画像データを順不同で前記データ処理装置に送信する分割画像データ送信工程と、
前記データ処理装置から送信されてきた処理後データを受信する処理後データ受信工程と、
前記連結情報に基づいて、前記処理後データ受信工程により受信した処理後データのエントリー番号を特定する特定工程と、
前記特定工程で特定されたエントリー番号から元の画像データを構成する処理後データ同士を連結する連結工程と、をコンピュータによって実現するためのデータ管理プログラムであって、
前記連結情報生成工程は、前記分割工程により分割された各分割画像データに、元の画像データの一部であることを示すエントリー番号と、固有の項目番号とを関連付けて前記連結情報を生成し、
前記分割画像データ送信工程は、前記暗号化工程で暗号化された暗号化分割画像データに対応する項目番号を付して前記データ処理装置に送信し、
前記特定工程は、前記連結情報に基づいて、前記処理後データ受信工程により受信した処理後データに付されている項目番号からエントリー番号を特定するデータ管理プログラム。
【請求項１１】
データ管理装置の項目番号送信部から送信されてきた項目番号に対して固有の暗号キーを生成するキー生成部と、
前記キー生成部により生成した暗号キーを前記データ管理装置に送信するキー送信部と、
データ管理装置の分割画像データ送信部から順不同で送信されてきた暗号化分割画像データを受信する分割画像データ受信部と、
前記分割画像データ受信部により受信した暗号化分割画像データを復号する暗号化分割画像データ復号部と、
前記暗号化分割画像データ復号部により復号された分割画像データの処理後データを前記データ管理装置に送信する処理後データ送信部とを備え、
前記処理後データ送信部は、対応する項目番号を付して処理後データを前記データ管理装置に送信するデータ処理装置。
【請求項１２】
データ管理装置の項目番号送信部から送信されてきた項目番号に対して固有の暗号キーを生成するキー生成工程と、
前記キー生成工程により生成した暗号キーを前記データ管理装置に送信するキー送信工程と、
前記データ管理装置の分割画像データ送信部から順不同で送信されてきた暗号化分割画像データを受信する分割画像データ受信工程と、
前記分割画像データ受信工程により受信した暗号化分割画像データを復号する暗号化分割画像データ復号工程と、
前記暗号化分割画像データ復号工程により復号された分割画像データの処理後データを前記データ管理装置に送信する処理後データ送信工程とを備え、
前記処理後データ送信工程は、対応する項目番号を付して処理後データを前記データ管理装置に送信するデータ処理方法。
【請求項１３】
データ管理装置の項目番号送信部から送信されてきた項目番号に対して固有の暗号キーを生成するキー生成工程と、
前記キー生成工程により生成した暗号キーを前記データ管理装置に送信するキー送信工程と、
前記データ管理装置の分割画像データ送信部から順不同で送信されてきた暗号化分割画像データを受信する分割画像データ受信工程と、
前記分割画像データ受信工程により受信した暗号化分割画像データを復号する暗号化分割画像データ復号工程と、
前記暗号化分割画像データ復号工程により復号された分割画像データの処理後データを前記データ管理装置に送信する処理後データ送信工程と、をコンピュータによって実現するためのデータ処理プログラムであって、
前記処理後データ送信工程は、対応する項目番号を付して処理後データを前記データ管理装置に送信するデータ処理プログラム。
【手続補正２】
【補正対象書類名】明細書
【補正対象項目名】００１８
【補正方法】変更
【補正の内容】
【００１８】
上記目的を達成するために、本発明の一態様におけるデータ管理方法は、画像データを分割する分割工程と、前記分割工程により分割された各分割画像データに、元の画像データの一部であることを示すエントリー番号を関連付けて連結情報を生成する連結情報生成工程と、項目番号をデータ処理装置に送信する項目番号送信工程と、前記データ処理装置から送信されてきた暗号キーを受信するキー受信工程と、前記キー受信工程で受信した暗号キーにより、前記項目番号送信工程で送信した項目番号の分割画像データを暗号化する暗号化工程と、前記分割工程で分割された分割画像データを順不同で前記データ処理装置に送信する分割画像データ送信工程と、前記データ処理装置から送信されてきた処理後データを受信する処理後データ受信工程と、前記連結情報に基づいて、前記処理後データ受信工程により受信した処理後データのエントリー番号を特定する特定工程と、前記特定工程で特定されたエントリー番号から元の画像データを構成する処理後データ同士を連結する連結工程と、を備え、前記連結情報生成工程は、前記分割工程により分割された各分割画像データに、元の画像データの一部であることを示すエントリー番号と、固有の項目番号とを関連付けて前記連結情報を生成し、前記分割画像データ送信工程は、前記暗号化工程で暗号化された暗号化分割画像データに対応する項目番号を付して前記データ処理装置に送信し、前記特定工程は、前記連結情報に基づいて、前記処理後データ受信工程により受信した処理後データに付されている項目番号からエントリー番号を特定する。
【手続補正３】
【補正対象書類名】明細書
【補正対象項目名】００１９
【補正方法】変更
【補正の内容】
【００１９】
上記目的を達成するために、本発明の一態様におけるデータ管理プログラムは、画像データを分割する分割工程と、前記分割工程により分割された各分割画像データに、元の画像データの一部であることを示すエントリー番号を関連付けて連結情報を生成する連結情報生成工程と、項目番号をデータ処理装置に送信する項目番号送信工程と、前記データ処理装置から送信されてきた暗号キーを受信するキー受信工程と、前記キー受信工程で受信した暗号キーにより、前記項目番号送信工程で送信した項目番号の分割画像データを暗号化する暗号化工程と、前記分割工程で分割された分割画像データを順不同で前記データ処理装置に送信する分割画像データ送信工程と、前記データ処理装置から送信されてきた処理後データを受信する処理後データ受信工程と、前記連結情報に基づいて、前記処理後データ受信工程により受信した処理後データのエントリー番号を特定する特定工程と、前記特定工程で特定されたエントリー番号から元の画像データを構成する処理後データ同士を連結する連結工程と、をコンピュータによって実現するためのプログラムであって、前記連結情報生成工程は、前記分割工程により分割された各分割画像データに、元の画像データの一部であることを示すエントリー番号と、固有の項目番号とを関連付けて前記連結情報を生成し、前記分割画像データ送信工程は、前記暗号化工程で暗号化された暗号化分割画像データに対応する項目番号を付して前記データ処理装置に送信し、前記特定工程は、前記連結情報に基づいて、前記処理後データ受信工程により受信した処理後データに付されている項目番号からエントリー番号を特定するプログラムである。
【手続補正４】
【補正対象書類名】明細書
【補正対象項目名】００２１
【補正方法】変更
【補正の内容】
【００２１】
上記目的を達成するために、本発明の一態様におけるデータ処理方法は、データ管理装置の項目番号送信部から送信されてきた項目番号に対して固有の暗号キーを生成するキー生成工程と、前記キー生成工程により生成した暗号キーを前記データ管理装置に送信するキー送信工程と、前記データ管理装置の分割画像データ送信部から順不同で送信されてきた暗号化分割画像データを受信する分割画像データ受信工程と、前記分割画像データ受信工程により受信した暗号化分割画像データを復号する暗号化分割画像データ復号工程と、前記暗号化分割画像データ復号工程により復号された分割画像データの処理後データを前記データ管理装置に送信する処理後データ送信工程とを備え、前記処理後データ送信工程は、対応する項目番号を付して処理後データを前記データ管理装置に送信する。
【手続補正５】
【補正対象書類名】明細書
【補正対象項目名】００２２
【補正方法】変更
【補正の内容】
【００２２】
上記目的を達成するために、本発明の一態様におけるデータ処理プログラムは、データ管理装置の項目番号送信部から送信されてきた項目番号に対して固有の暗号キーを生成するキー生成工程と、前記キー生成工程により生成した暗号キーを前記データ管理装置に送信するキー送信工程と、前記データ管理装置の分割画像データ送信部から順不同で送信されてきた暗号化分割画像データを受信する分割画像データ受信工程と、前記分割画像データ受信工程により受信した暗号化分割画像データを復号する暗号化分割画像データ復号工程と、前記暗号化分割画像データ復号工程により復号された分割画像データの処理後データを前記データ管理装置に送信する処理後データ送信工程と、をコンピュータによって実現するためのデータ処理プログラムであって、前記処理後データ送信工程は、対応する項目番号を付して処理後データを前記データ管理装置に送信するプログラムである。